(57)【要約】      （修正有）【課題】従来の操作盤を有する電気機器において、通電や漏電の有無等の電気的接続の点検を行う際には、一旦、操作盤を壁部から取り外し、外部電源からの電力供給も遮断した上で、テスターをヒータに接続させて行わなければならず、時間と手間を要していた。簡易かつ安全に電気的接続の点検を行うことの出来る操作盤を提供する。【解決手段】電気機器を操作するための操作盤であって、電気機器を制御する回路基板と、前記回路基板を覆う絶縁部材と、該絶縁部材の上面側に設けられる操作パネル部とを具備し、前記回路基板上には、前記電気機器と導通する導体部が設けられ、前記絶縁部材の前記導体部に対応する位置には孔が設けられ、前記孔から前記導体部が露出することで、抵抗測定部が形成され、前記抵抗測定部において、前記電気機器の抵抗を測定可能であることを特徴とする。【選択図】図２
0003172558.tif 000002
【実用新案登録請求の範囲】
【請求項１】
電気機器を操作するための操作盤であって、
電気機器を制御する回路基板と、
前記回路基板を覆う絶縁部材と、
前記絶縁部材の上面側に設けられる操作パネル部と
を具備し、
前記回路基板上には、前記電気機器と導通する導体部が設けられ、
前記絶縁部材の前記導体部に対応する位置には孔が設けられ、前記孔から前記導体部が露出することで、抵抗測定部が形成され、
前記抵抗測定部において、前記電気機器の抵抗を測定可能であることを特徴とする操作盤。
【請求項２】
前記操作盤は、複数の電気機器と接続され、
前記絶縁部材の表面には、それぞれの電気機器に対応して接続されるそれぞれの前記抵抗測定部が識別可能な表示部が施されることを特徴とする請求項１に記載の操作盤。
【請求項３】
前記操作パネル部が前記操作盤から分離されるとき、前記電気機器への通電が遮断されることを特徴とする請求項１または請求項２に記載の操作盤。
【考案の詳細な説明】
【技術分野】
【０００１】
本考案は電気機器を操作するための操作盤に関するものである。
【背景技術】
【０００２】
近年、快適な暖房装置として、例えば電気式床暖房装置が広く普及してきている。この電気式床暖房装置は、床部に敷設されるヒータと、室内の壁部に取り付けられ、ヒータへの電力の供給および停止の切り替えや各種設定を行う操作盤とを備えている。ヒータへは、操作盤を介して外部電源から電力が供給される。また、操作盤は、ユーザが床暖房装置の運転および停止や温度などの設定を行う操作パネル部と、操作パネル部から入力される各種設定信号に基づいて床暖房装置への電力供給を制御する回路基板とを備えている。
【先行技術文献】
【特許文献】
【０００３】
【特許文献１】特開２００３−１８５１６３
【考案の概要】
【考案が解決しようとする課題】
【０００４】
このような床暖房装置において、ヒータが正常に作動しているか、または漏電の有無等の電気的接続の点検を行う際には、一旦、操作盤を壁部から取り外し、外部電源からの電力供給も遮断した上で、テスターをヒータに接続させて行わなければならず、時間と手間を要していた。また、これらの課題は、床暖房に特定されるものではなく、上記のような点検を必要とする操作盤を備えた電気機器全般が有する課題である。
【０００５】
そこで、本考案では、例えば電気式床暖房装置などの電気機器を操作するための操作盤であって、簡易かつ安全に電気的接続の点検を行うことのできる操作盤を提供することを目的とする。
【課題を解決するための手段】
【０００６】
前述した目的を達成するために、本考案は、電気機器を操作するための操作盤であって、電気機器を制御する回路基板と、前記回路基板を覆う絶縁部材と、前記絶縁部材の上面側に設けられる操作パネル部とを具備し、前記回路基板上には、前記電気機器と導通する導体部が設けられ、前記絶縁部材の前記導体部に対応する位置には孔が設けられ、前記孔から前記導体部が露出することで、抵抗測定部が形成され、前記抵抗測定部において、前記電気機器の抵抗を測定可能であることを特徴とするものである。
【０００７】
本考案にかかる電気機器を操作するための操作盤では、回路基板は絶縁部材により覆われており、さらにそれらの上面に前記操作パネル部が設けられている。また、回路基板上の導体部は絶縁部材の穴から露出されており、絶縁部材上に抵抗測定部が形成されている。したがって、電気機器の電気的接続の点検は、絶縁部材上の抵抗測定部において、導体部の抵抗を測定することで行うことができる。
【０００８】
すなわち、わざわざ操作盤を取り外すことなく、操作パネル部を操作盤から分離するだけで、簡易に点検を行うことができる。さらに、点検の際には、導体部を除く回路基板は、絶縁部材により覆われた状態にある。したがって、回路基板を傷つけることがなく、点検者は安全かつ正確に点検を遂行することができる。
【０００９】
また、前記操作盤は、複数の電気機器と接続され、前記絶縁部材の表面には、それぞれの電気機器に対応して接続されるそれぞれの前記抵抗測定部が識別可能な表示部が施されてもよい。
【００１０】
このように、絶縁部材の抵抗測定部に表示部を施すことで、操作盤が複数の電気機器と接続されていても、点検者は、誤ることなくそれぞれの電気機器の抵抗測定を行うことができ、安全かつ正確に点検を遂行することができる。
【００１１】
また、前記操作パネル部が前記操作盤から分離されるとき、前記電気機器への通電が遮断されるとよい。
【００１２】
このようにすることで、点検者が、予め電気機器と外部電源との通電を遮断するか否かに関わらず、必ず通電が遮断されるので、短絡や感電の恐れがなく安全である。また、たとえ点検者以外の者が操作パネル部を分離したとしても、同様に短絡や感電の恐れがなく安全が確保される。
【考案の効果】
【００１３】
本考案によれば、電気機器を操作するための操作盤であって、回路基板を傷つけることなく保護されるとともに、点検者は簡易かつ安全に電気的接続の点検を行うことのできる操作盤を提供することができる。
【図面の簡単な説明】
【００１４】
【図１】本考案にかかる操作盤１を備えた電気式床暖房装置の概略全体構成図
【図２】操作盤１の分解者斜視図
【図３】操作盤１の回路基板５を示す正面図
【図４】操作盤１の回路基板５が絶縁部材９に覆われた状態を示す正面図
【図５】電気式床暖房装置の点検を行う際の操作盤１の状態を示す分解斜視図
【図６】操作盤１０１の分解者斜視図
【考案を実施するための形態】
【００１５】
以下、図面を参照にしながら本考案の実施形態について説明する。
【００１６】
図１は、本実施形態の操作盤１を備えた電気式床暖房装置の概略全体構成図である。電気式床暖房装置は、主に、電気機器であるヒータＡ、ヒータＢ、およびヒータＡとヒータＢとを操作するための操作盤１を備えている。
【００１７】
また、ユーザが火傷や感電をする等の事故を防止するため、電気式床暖房装置が必要に応じてアース部１５に接地される。アース部１５は、例えば室内の電源部近傍等に設けられ、電気式床暖房装置からのアース線を接続することで、電気式床暖房装置を接地させるものである。
【００１８】
ヒータＡは、通電により熱を発生する発熱体３１が敷設されて構成されたものである。発熱体３１は、例えばカーボン発熱体である。発熱体３１の両端には導線３５ａと導線３５ｂが接続されており、これらを介して発熱体３１は操作盤１に接続される。
【００１９】
同様に、ヒータＢも発熱体３３が敷設されて構成されたものである。また、発熱体３３の両端は、導線３７ａと導線３７ｂが接続される。
【００２０】
一方、操作盤１は、電源からヒータＡの発熱体３１およびヒータＢの発熱体３３への供給電力を制御する。また、操作盤１の上面には、操作パネル部３が設けられており、ユーザが電気式床暖房装置の運転、停止や温度などの各種設定を行うことができるようになっている。
【００２１】
このような電気式床暖房装置は、操作パネル部３にユーザからの運転指示がなされると、電源から導線３５ａ、導線３５ｂを介して発熱体３１へ、また、導線３７ａ、導線３７ｂを介して発熱体３３へ電力が供給されてヒータＡおよびヒータＢを作動させる。
【００２２】
次に、図２および図３に基づいて、操作盤１の回路基板５にかかわる構成について説明する。図２は、操作盤１の分解斜視図であり、図３は回路基板５の正面図である。操作盤１底部の基台５１には、図１において説明したヒータＡ（発熱体３１）およびヒータＢ（発熱体３３）への供給電力等を制御するための回路基板５が配設されている。回路基板５には、発熱体３１の導線３５ａと導通する導体部７ａおよび導線３５ｂと導通する導体部７ｂ、また、発熱体３３の導線３７ａと導通する導体部７ｃおよび導線３７ｂと導通する導体部７ｄが設けられている。
【００２３】
続いて、図２および図４に基づいて、操作盤１の絶縁部材９にかかわる構成について説明する。図４は絶縁部材９の正面図である。絶縁部材９は、回路基板５を上面から覆うように設けられている。絶縁部材９の素材としては、ゴムやプラスティックなどが好適であり、操作パネル部３や基台５１等と同一の材質であってもよい。
【００２４】
また、絶縁部材９上には、上述した回路基板５の導体部７ａ〜導体部７ｄに対応する位置に、孔１１ａ〜孔１１ｄが設けられている。このため、絶縁部材９が回路基板５を覆うと、孔１１ａからは導体部７ａが絶縁部材９上に露出して、抵抗測定部２１ａが形成される。同様に、孔１１ｂから導体部７ｂが露出することで抵抗測定部２１ｂが形成され、孔１１ｃから導体部７ｃが露出して抵抗測定部２１ｃが形成され、孔１１ｄから導体部７ｄが露出して抵抗測定部２１ｄが形成される。
【００２５】
抵抗測定部２１ａおよび抵抗測定部２１ｂの間の電気抵抗を測定することで、ヒータＡ（発熱体３１）の断線を検知することができる。同様に、抵抗測定部２１ｃおよび抵抗測定部２１ｄの間の電気抵抗を測定することで、ヒータＢ（発熱体３３）の断線を検知することができる。また、アース部１５（図１参照）および正常に通電されていることが確認されている抵抗測定部２１ａ〜抵抗測定部２１ｄのいずれかの間の絶縁抵抗を測定することで、漏電の有無を検知することができる。
【００２６】
さらに、絶縁部材９の上面には、抵抗測定部２１ａおよび抵抗測定部２１ｂがヒータＡの抵抗を測定するものであり、抵抗測定部２１ｃおよび抵抗測定部２１ｄがヒータＢの抵抗を測定するものであることを表示する表示部が施されている。
【００２７】
以上のように、絶縁部材９により覆われた回路基板５を配設した基台５１は、図２に示すように、操作パネル部３を分離可能に嵌合させて、操作盤１を形成する。
【００２８】
続いて、図５に、本考案の操作盤１において電気式床暖房装置の電気的接続の点検を行う際の使用例を示す。操作盤１の構成については、図１から図４に基づいて説明したものと重複するので省略する。
【００２９】
点検者がヒータＡおよびヒータＢへの通電や漏電の有無を点検する際には、はじめに、操作盤１から操作パネル部３を取り外す。このとき、回路基板５は、操作パネル部３が操作盤１から分離されたことを検知して、電源から回路基板５への通電を遮断する。
【００３０】
操作パネル部３が取り外された操作盤１の上面は、抵抗測定部２１ａ〜抵抗測定部２１ｄが形成された絶縁部材９となる。
【００３１】
点検者は、絶縁部材９に施された表示部にしたがってヒータＡおよびヒータＢの点検を行う。ヒータＡの断線を検知する際には、抵抗測定部２１ａおよび抵抗測定部２１ｂにテスターを接触させる。そして、抵抗測定部２１ａおよび抵抗測定部２１ｂの間の抵抗測定値を基準抵抗値と比較判断する。
【００３２】
同様に、ヒータＢの断線を検知する際には、抵抗測定部２１ｃおよび抵抗測定部２１ｄにテスターを接触させ、抵抗測定部２１ｃおよび抵抗測定部２１ｄの間の抵抗測定値を基準抵抗値と比較判断する。
【００３３】
また、漏電検査の際には、アース部１５および抵抗測定部２１ａ〜抵抗測定部２１ｄのいずれかとアース部１５をテスターに接触させる。
【００３４】
以上説明した操作盤１によれば、点検者はわざわざ操作盤１を取り外すことなく、操作パネル部３を操作盤１から取り外すだけで、簡易に電気式床暖房装置の点検を行うことができる。さらに、点検の際には、導体部７ａ〜導体部７ｄを除く回路基板５は、絶縁部材９により覆われた状態にあるので、回路基板５を損傷させたり、不適切は箇所にテスターを接触させる恐れもない。また、点検者も安全に点検を遂行することができる。
【００３５】
また、絶縁部材９の抵抗測定部２１ａ〜抵抗測定部２１ｄに表示部が施されているので、操作盤１にヒータＡとヒータＢのように複数の電気機器が接続されていても、点検者は誤ることなくそれぞれのヒータの抵抗を測定することができる。
【００３６】
また、操作パネル部３が操作盤１から取り外されると、ヒータＡおよびヒータＢへの通電が遮断される。したがって、予め、点検者がヒータＡおよびヒータＢと電源との通電を遮断するか否かに関わらず、必ず通電が遮断されるので、短絡や感電の恐れがなく安全である。また、たとえ点検者以外の者が操作パネル部３を取り外したとしても、同様に短絡や感電の恐れがなく安全が確保される。
【００３７】
続いて、図６に基づいて、本考案の操作盤の第２の実施形態について説明する。図６は、操作盤１０１の分解斜視図である。上述した第１の実施形態の操作盤１（図２参照）と異なる構成は、操作盤１０１の絶縁部材１０９が、背面側に凹みを有するように凸状に形成されており、その凹みに、絶縁部材１０９の背面側より回路基板１０５を嵌合させるところにある。この場合には、回路基板１０５の背面側に蓋を設けてもよい。このような構成にした場合も、回路基板１０５の導体部１０７ａ〜導体部１０７ｄが絶縁部材１０９の孔１１１ａ〜孔１１１ｄから露出して、抵抗測定部１２１ａ〜抵抗測定部１２１ｄが形成される。そして、上面側より操作パネル部１０３を嵌合させて、操作盤１０１となる。
【００３８】
このように第２の実施形態においても、操作パネル部１０３を操作盤１０１から取り外すだけで、簡易に電気式床暖房装置の点検を行うことができる。さらに、点検の際には、導体部１０７ａ〜導体部１０７ｄを除く回路基板１０５は、絶縁部材１０９により覆われた状態にあるので、回路基板１０５を損傷させたり、不適切は箇所にテスターを接触させる恐れもない。また、点検者も安全に点検を遂行することができる。
【００３９】
以上、添付図を参照しながら、本考案の実施形態を説明したが、本考案の技術的範囲は、上述した実施の形態に左右されない。本考案の操作盤１を使用した電気機器として電気式床暖房装置を例としたが、他の電気機器の操作盤としても有効な技術である。また、当業者であれば、実用新案登録請求の範囲に記載された技術的思想の範疇内において各種の変更例または修正例に想到しうることは明らかであり、それらについても当然に本考案の技術的範囲に属するものと了解される。
【００４０】
例えば、本考案は、電気式床暖房装置以外の電気機器に対しても、同様に適用することができる。また、前述の実施形態では、ヒータＡ、ヒータＢの二つ電気機器が接続された例を示したが、操作盤に接続される電気機器は、一つであってもよく、三つ以上であってもよい。
【符号の説明】
【００４１】
１、１０１………操作盤
３、１０３………操作パネル部
５、１０５………回路基板
７ａ、７ｂ、７ｃ、７ｄ………導体部
１０７ａ、１０７ｂ、１０７ｃ、１０７ｄ………導体部
９、１０９………絶縁部材
１１ａ、１１ｂ、１１ｃ、１１ｄ………孔
１１１ａ、１１１ｂ、１１１ｃ、１１１ｄ………孔
１５………アース部
２１ａ、２１ｂ、２１ｃ、２１ｄ………抵抗測定部
１２１ａ、１２１ｂ、１２１ｃ、１２１ｄ………抵抗測定部
３１、３３………発熱体
３５ａ、３５ｂ、３７ｃ、３７ｄ………導線
５１………基台
【図１】
0003172558.tif 000003
【図２】
0003172558.tif 000004
【図３】
0003172558.tif 000005
【図４】
0003172558.tif 000006
【図５】
0003172558.tif 000007
【図６】
0003172558.tif 000008